(57)【要約】【課題】  効率的に雨水を利用できる移動式散水装置を提供すること。【解決手段】  移動式散水装置が提供される。移動式散水装置は、水を貯留するための散水用タンクと、散水用タンクに貯留された水を周囲環境に放出するためのノズルと、散水用タンクに貯留された水をノズルに送る散水用ポンプと、散水用タンク、ノズル、および散水用ポンプを移動させるための移動機構と、散水用ポンプおよび移動機構の少なくとも一方に動力を与える動力源と、を有する。【選択図】      図３
2016094763.tif 000002
【特許請求の範囲】
【請求項１】
移動式散水装置であって、
水を貯留するための散水用タンクと、
前記散水用タンクに貯留された水を周囲環境に放出するためのノズルと、
前記散水用タンクに貯留された水を前記ノズルに送る散水用ポンプと、
前記散水用タンク、前記ノズル、および前記散水用ポンプを移動させるための移動機構と、
前記散水用ポンプおよび前記移動機構に動力を与える動力源と、
を有する移動式散水装置。
【請求項２】
請求項１に記載の移動式散水装置であて、
前記電力源は太陽電池パネルであり、前記太陽光パネルは、前記移動機構および前記散水用ポンプの少なくとも一方に動力を与える、移動式散水装置。
【請求項３】
請求項１または２に記載の移動式散水装置であて、
前記ノズルは、水を霧状に噴霧するように構成される、移動式散水装置。
【請求項４】
請求項１乃至３のいずれか一項記載の移動式散水装置であて、
前記散水用タンクは、雨水を貯留するように構成される、移動式散水装置。
【請求項５】
雨水利用システムであって、
雨水を貯留するための第１タンクと、
前記第１タンクの雨水を送水するための第１配管系及び第２配管系と、
前記第２配管系に設けられ前記雨水を清浄化するフィルタと、
移動式散水装置と、を有し、
前記移動式散水装置は、水を貯留するための散水用タンクと、
前記散水用タンクに貯留された水を周囲環境に放出するためのノズルと、
前記散水用タンクに貯留された水を前記ノズルに送る散水用ポンプと、
前記散水用タンク、前記ノズル、および前記散水用ポンプを移動させるための移動機構と、
前記散水用ポンプおよび前記移動機構に動力を与える動力源と、を有し、
前記散水用タンクは、前記第１タンクと前記第１配管系により流体接続される、
雨水利用システム。
【請求項６】
請求項５に記載の雨水利用システムであって、
前記電力源は太陽電池パネルであり、前記太陽光パネルは、前記移動機構および前記散水用ポンプの少なくとも一方に動力を与える、雨水利用システム。
【請求項７】
請求項５または６に記載の雨水利用システムであて、
前記ノズルは、水を霧状に噴霧するように構成される、雨水利用システム。
【発明の詳細な説明】
【技術分野】
【０００１】
本発明は、移送式散水装置に関し、特に、雨水を利用するシステムを利用した移動式散水装置に関する。
【背景技術】
【０００２】
近年、環境意識の高まりを背景に、雨水を積極的に再利用しようとする動きがある。また、降水量の少ない地域においては、雨水を有効に活用することが望まれている。一般的な雨水の利用方法としては、様々なものがある。例えば、雨水をタンクに貯めておき、これを植物の育成に用いたり、トイレの洗浄のために用いたりする場合である。また、家庭の庭で樹木や芝生の育成のための散水に雨水を利用することもある。
【０００３】
ところで、雨水を利用する場合に、使われる用途によっては求められる清浄度合いが異なる。例えば、人が直接触れる水や食器の洗浄に用いる水の場合には、高度な清浄化処理が必要となる。一方、トイレの洗浄や、樹木の育成のための水であれば、高い清浄度は求められず、そのまま雨水を利用することも可能である。
【発明の概要】
【発明が解決しようとする課題】
【０００４】
しかしながら、雨水を利用する散水システムでは、雨水の貯留タンクが固定されているために散水範囲が限られていた。また、一般的な雨水利用装置の場合、利用用途に応じて清浄度が予め決定されていた。このため、１つのシステムで清浄度の異なる水を使い分けるという考えは無かった。
【０００５】
そこで、本願発明は、雨水を利用する移動可能な散水装置を提供することを１つの目的とする。また、１つの装置で用途に応じて清浄度の異なる水を供給できる雨水利用装置を提供することを１つの目的とする。
【課題を解決するための手段】
【０００６】
本発明の一実施形態によれば、移動式散水装置が提供され、かかる移動式散水装置は、水を貯留するための散水用タンクと、散水用タンクに貯留された水を周囲環境に放出するためのノズルと、散水用タンクに貯留された水を前記ノズルに送る散水用ポンプと、散水用タンク、ノズル、および散水用ポンプを移動させるための移動機構と、散水用ポンプおよび移動機構に動力を与える動力源と、を有する。
【０００７】
一実施形態によれば、移動式散水装置において、電力源は太陽電池パネルであり、太陽電池パネルは、移動機構および散水用ポンプの少なくとも一方に動力を与える。
【０００８】
一実施形態によれば、移動式散水装置において、ノズルは、水を霧状に噴霧するように構成される。
【０００９】
一実施形態によれば、移動式散水装置において、散水用タンクは、雨水を貯留するように構成される。
【００１０】
本発明の一実施形態によれば、雨水利用システムが提供され、かかる雨水利用システムは、雨水を貯留するための第１タンクと、第１タンクの雨水を送水するための第１配管系及び第２配管系と、第２配管系に設けられ雨水を清浄化するフィルタと、本開示のいずれかの実施形態による移動式散水装置と、を有し、散水用タンクは、第１タンクと第１配管系により流体接続される。
【図面の簡単な説明】
【００１１】
【図１】図１は、本発明の一実施形態によるシステムの全体構成を示す概略図である。
【図２】図２は、第２配管系での水の流れを説明するための図であり、図２（Ａ）は第１タンクから雨水が供給されている状態を示し、図２（Ｂ）は水がループ内を循環している状態を示し、図２（Ｃ）は、第１タンクから雨水が供給されると共に清浄化された水が第２配管系の用途に供給されている状態を示す図である。
【図３】図３は、本発明の一実施形態による移動式散水装置の構成を示す概略図である。
【発明を実施するための形態】
【００１２】
以下、本願発明の一実施形態に係る雨水利用システムを利用した移動式散水装置について、図面を参照しながら説明する。
【００１３】
図１は、本発明の一実施形態に係る雨水利用システム１の全体概要図である。図１に示すように、本実施形態では、雨水を貯留するための第１タンク３と、この第１タンク３の雨水を送水するための第１配管系１１及び第２配管系３１と、第２配管系３１に設けられ雨水を清浄化するフィルタ３７を備えている。
【００１４】
［第１タンク］
第１タンク３は、家屋Ｈの屋根などに降った雨水を直接貯留するためのものである。このため、第１タンク３には屋根に設置された雨樋（図示略）が引き込まれている。第１タンク３は、金属製やポリエチレン製など、様々な材料を用いることが可能である。第１タンク３の容量は、設置される地域の降雨特性に基づいて決定される。すなわち、頻繁に雨が降る地域では、それほど大きな容量の第１タンク３を設ける必要は無い。頻繁に雨水が補充されるからである。一方、雨が頻繁には降らない地域の場合には、大きな容量の第１タンク３を設けた方がよい。雨が降った時に大量の雨水を貯留しておく必要があるからである。
【００１５】
本実施形態の第１タンク３は、家屋Ｈと共に固定して設置されている。しかしながら、移動式にしてもよい。移動式にする場合には、雨樋との接続が簡単に解除できるような構造にすることが望ましい。また、第１タンク３には、所定の閉鎖弁（図示略）を設けるようにしてもよい。この閉鎖弁は、第１タンク３内の雨水が満杯になった場合に、雨水を導入する雨樋を閉鎖するためのものである。閉鎖弁は第１タンク３内のフロート（図示略）に連結されており、フロートが上昇することで、閉鎖弁が雨樋を閉鎖する。
【００１６】
［第１配管系］
第１配管系１１は、第１タンク３の雨水を、様々な用途のために直接送水する配管である。具体的な用途としては、トイレ洗浄用、洗車用、植物への散水用、後述の移動式散水装置への利用などである。これらは、水に高い清浄度が求められない用途である。高い清浄度が求められない用途であれば、上記以外の用途にも利用可能であることは言うまでも無い。
【００１７】
［第１ポンプ］
第１ポンプ１３は、第１配管系１１に設けられているポンプであり、第１タンク３の雨水を上述した用途等のために加圧して送水する。第１ポンプ１３を設置することで、第１タンク３と雨水を用いる場所の高低差に関係無く、雨水を送水することが可能である。但し、第１タンク３が雨水利用場所よりも高い位置にある場合には、第１ポンプ１３は設ける必要が無い。
【００１８】
［太陽電池パネル及びバッテリ］
第１ポンプ１３には、太陽電池パネル４１が接続されている。これは、商用電源を用いること無く、第１ポンプ１３を駆動するためのものである。太陽電池パネル４１を用いることで、家屋Ｈの電源と完全に分離することができ、家屋Ｈに対して特別な改築等をする必要が無い。また、太陽電池パネル４１には、バッテリ４３が接続されており、曇りの日や夜間など、太陽電池パネル４１で発電がされていない場合にも、第１ポンプ１３を駆動することが可能である。
【００１９】
［第２配管系］
次に、第２配管系３１について説明する。第２配管系３１は、雨水をフィルタ３７によって清浄化し、この清浄化された水を様々な用途のために送水するためのものである。具体的な用途としては、例えば、食器や容器の洗浄、洗濯機、プールなどである。もちろん、他の用途にも利用可能である。第２配管系３１は、第１タンク３の下流側に設けられ、四方弁３３、第２ポンプ３５、フィルタ３７、第２タンク３９を備えている。図１に示すように、本実施形態の第２配管系３１は、四方弁３３を基準にループ形態になっている。そして、四方弁３３の下流側に様々な用途のための送水管４０が接続されている。
【００２０】
［四方弁］
四方弁３３は、第１タンク３からの流路、第２ポンプ３５への流路、第２タンク３９からの流路、種々の用途への流路を切り替えるためのものである。四方弁３３は、図示しない制御部によって制御される。四方弁３３は、水の流れを完全に遮断することもできるし、各流路を任意に連通させることもできるようになっている。但し、四方弁３３は必須ではない。
【００２１】
［第２ポンプ］
第２ポンプ３５は、第２配管系３１の水を加圧して送水するためのものである。具体的な構成としては、第１ポンプ１３と同様である。当該第２ポンプ３５も、上述したバッテリ４３を介して太陽電池パネル４１に接続されている。なお、太陽電池パネル４１とバッテリ４３は、第１ポンプ１３用のものを共用しても良いし、第２ポンプ３５用に独自に設けてもよい。また、第２ポンプ３５は、ループ内で水を循環させるためにも用いられる。この点は後述する。なお、第２ポンプ３５は、本発明に必須という訳ではない。
【００２２】
［フィルタ］
フィルタ３７は、雨水を清浄化するためのものである。フィルタ３７には砂や砂利石などが充填されており、雨水がフィルタ３７を通過することで清浄化される。フィルタ３７には、細かく砕いた炭などを充填することで、清浄度のより高い水を生成することも可能である。但し、細い化学繊維などを用いたフィルタを利用してもよい。
【００２３】
［第２タンク］
第２タンク３９は、フィルタ３７によって清浄化された水を貯留するためのものである。第２タンク３９を用いることで、雨が降っていない場合にも、清浄化された水を利用することが可能である。但し、この第２タンク３９は本発明に必須ではない。
【００２４】
［流路切替］
図２に、種々の流路切替状態を示している。図２（Ａ）は、第１タンク３から雨水が供給されており、ループ内での循環も、用途への送水も行われていない状態を示している。これは、第２タンク３９内に水を貯留する段階である。図２（Ｂ）は、水がループ内で循環している状態を示している。これは、第２タンク３９内の水を循環させて、フィルタ３７によって水の清浄度を高めている段階である。但し、フィルタ３７が高性能な場合には、フィルタを１度通すことで必要な清浄度の水になる場合もある。この場合は、当該循環は不要である。更に、図２（Ｃ）は、第１タンク３から雨水を導入すると同時に、清浄化された水を用途へ送水している状態を示している。
【００２５】
［作用］
次に、図１を参照しながら、本実施形態に係る雨水利用装置の作用についてあらためて説明する。先ず、雨が降ると家屋Ｈの屋根から雨樋に雨水が集まる。この雨水は、雨樋によって第１タンク３に導入される。第１タンク３の雨水は、第１ポンプ１３の作用によって、高い清浄度が求められない用途に利用される。一方、第２ポンプ３５の作用によって第１タンク３から第２配管系３１に供給される雨水は、フィルタ３７を通って清浄化される。清浄化された水は、第２タンク３９に貯留される。このとき、四方弁３３の作用により、清浄化された水は、第２配管系３１のループ内を循環したり、種々の用途に向けて送水される。
【００２６】
［移動式散水装置］
図１に示されるように、雨水は移動式散水装置５０に利用することができる。図３は、一実施形態による移動式散水装置の構成を概略的に示す図である。
【００２７】
移動式散水装置５０は、雨水を貯留するための散水用タンク５２を備える。図３には、２つの散水用タンク５２が示されているが、散水用タンク５２の数は任意である。また、散水用タンク５２およびその他の構成物は、図示しないフレーム構造などにより支持される。一実施形態において、雨水使用システム１の第１配管系１１により第１タンク３から雨水を散水用タンク５２に供給可能である。他の実施形態において、雨水使用システム１の第１タンクを取り外し可能に構成して、移送式散水装置５０の散水用タンク５２としてそのまま使用するようにしてもよい。
【００２８】
移動式散水装置５０は散水用の配管５４を備える。散水用の配管５４は、散水用タンク５２に接続される。散水用の配管５４には、散水用タンク５２内の水を周囲環境に放出するためのノズル５６が備えられる。また、移動式散水装置５０は、散水用ポンプ５８により、散水用タンク５２から配管５４を通ってタンク５２内の水をノズル５６へ送水する。散水用のノズル５６は水を霧状に周囲環境に放出することができるように構成される。また、散水用ノズル５６は水を霧状ではなく、任意の形態で周囲環境に散水できる任意の構造のものを利用することができる。
【００２９】
移動式散水装置５０は移動機構６０を備え、散水装置５０を移動可能に構成することができる。一実施形態として、移動機構６０は、モーターおよびモーター駆動される車輪などから構成することができる。
【００３０】
移動式散水装置５０は、移動機構６０および散水用ポンプ５８の少なくとも一方に動力を与えるための動力源６２を備えることができる。一実施形態において、動力源６２は太陽電池パネル６２とすることができる。また、太陽電池パネル６２に、バッテリを接続し、曇りの日や夜間など、太陽電池パネル６２で発電がされていない場合にも、移動式散水装置５０に動力を与えることができるようにしてもよい。なお、移動式散水装置５０に太陽電池パネル６２を設けずに、外部電源から充電可能なバッテリを設けて動力源６２としてもよい。
【００３１】
移動式散水装置５０により、幼稚園や学校のグラウンド、競技場などにおいて、水を散水することが可能になり、熱中症の予防などに利用できる。特に、雨水を有効利用することで資源を有効利用することができる。また、散水が必要な場合は炎天下のグラウンドなどであるから、太陽光を有効利用できる状況が多く、クリーンエネルギーを有効利用できる。
【００３２】
なお、以上の説明では、それぞれの特徴部分について、相互に関連付けて説明した。このため、各特徴部分を組み合わせることで、特別な技術的効果を奏する発明が成立する。一方で、上記各特徴部分は、それ単独でも一つの発明として成立する。このため、本願が想定する発明は、必ずしも複数の特徴部分を組み合わせた発明に限定されるものではなく、各特徴部分単独あるいは各特徴部分の任意の組み合わせでも、本発明を構成することができるということである。
【符号の説明】
【００３３】
１  雨水利用装置
３  第１タンク
１１  第１配管系
１３  第１ポンプ
３１  第２配管系
３３  四方弁
３５  第２ポンプ
３７  フィルタ
３９  第２タンク
４０  送水管
４１  太陽電池パネル
４３  バッテリ
５０  移動式散水装置
５２  散水用タンク
５４  散水用配管
５６  散水用ノズル
５８  散水用ポンプ
６０  移動機構
６２  太陽電池パネル
【図１】
2016094763.tif 000003
【図２】
2016094763.tif 000004
【図３】
2016094763.tif 000005